(57)【特許請求の範囲】
【請求項１】
印字テープに印字をおこなう印字装置であって、
前記印字テープのテープ幅に対応した高さを有する印字可能領域を設定する印字可能領域設定手段と、
文字列を表示する表示手段と、
前記表示手段に表示された前記文字列から強調文字列を指定する範囲指定手段と、
強調処理を開始させる強調開始手段と、
前記範囲指定手段で指定された前記強調文字列の文字サイズが、前記印字可能領域設定手段により設定された前記印字可能領域の前記高さに対して配置可能な最大文字サイズか否かを判別するサイズ判定手段と、
前記強調開始手段の実行により前記強調文字列が前記サイズ判定手段において前記最大文字サイズではないと判断した場合には、前記範囲指定手段により指定された前記強調文字列の文字サイズを１段階大きくし、前記サイズ判定手段において前記最大文字サイズであると判断した場合には、前記範囲指定手段により指定された前記強調文字列以外の文字列の文字サイズを１段階小さくする文字サイズ変更手段と、
を備える、
ことを特徴とする印字装置。
【請求項２】
前記強調開始手段は、前記強調処理を繰り返し行うことを可能としていることを特徴とする請求項１に記載の印字装置。
【請求項３】
前記文字サイズ変更手段は、前記範囲指定手段により指定された前記強調文字列にボールド処理を施すことを特徴とする請求項１又は請求項２に記載の印字装置。
【請求項４】
前記文字サイズ変更手段は、前記範囲指定手段により指定された前記強調文字列に文字飾りを施すことを特徴とする請求項１乃至請求項３の何れかに記載の印字装置。
【請求項５】
前記文字サイズ変更手段は、前記範囲指定手段により指定された前記強調文字列以外の文字列の文字サイズが、予め設定された最小サイズ限度に達した場合に前記強調処理を終了することを特徴とする請求項１乃至請求項４の何れかに記載の記録装置。
【請求項６】
前記印字テープは、ラベルを印刷するためのテープ状の印字部材であることを特徴とする請求項１乃至請求項５の何れかに記載の記録装置。
【請求項７】
印字テープに印字をおこなう印字装置の印字方法であって、
前記印字テープのテープ幅に対応した高さを有する印字可能領域を設定する印字可能領域設定処理と、
文字列を表示する表示処理と、
前記表示処理で表示された前記文字列から強調文字列を指定する範囲指定処理と、
強調処理を開始させる強調開始処理と、
前記範囲指定処理で指定された前記強調文字列の文字サイズが、前記印字可能領域設定処理により設定された前記印字可能領域の前記高さに対して配置可能な最大文字サイズか否かを判別するサイズ判定処理と、
前記強調開始処理の実行により前記強調文字列が前記サイズ判定処理において前記最大文字サイズではないと判断した場合には、前記範囲指定処理により指定された前記強調文字列の文字サイズを１段階大きくし、前記サイズ判定処理において前記最大文字サイズであると判断した場合には、前記範囲指定処理により指定された前記強調文字列以外の文字列の文字サイズを１段階小さくする文字サイズ変更処理と、
を実行する、
ことを特徴とする印字方法。
【請求項８】
前記強調開始処理は、前記強調処理を繰り返し行うことが可能な処理を実行することを特徴とする請求項７に記載の印字方法。
【請求項９】
前記文字サイズ変更処理は、前記範囲指定処理により指定された前記強調文字列にボールド処理を実行することを特徴とする請求項７又は請求項８に記載の印字方法。
【請求項１０】
前記文字サイズ変更処理は、前記範囲指定処理により指定された前記強調文字列に文字飾りを施す処理を実行することを特徴とする請求項７乃至請求項９の何れかに記載の印字方法。
【請求項１１】
前記文字サイズ変更処理は、前記範囲指定処理により指定された前記強調文字列以外の文字列の文字サイズが、予め設定された最小サイズ限度に達した場合に前記強調処理を終了することを特徴とする請求項７乃至請求項１０の何れかに記載の印字方法。
【請求項１２】
前記印字テープは、ラベルを印刷するためのテープ状の印字部材であることを特徴とする請求項７乃至請求項１１の何れかに記載の印字方法。
【請求項１３】
印字テープに印字をおこなう印字装置の印字方法を実現するための印字制御プログラムであって、
前記印字テープのテープ幅に対応した高さを有する印字可能領域を設定する印字可能領域設定処理と、
文字列を表示する表示処理と、
前記表示処理で表示された前記文字列から強調文字列を指定する範囲指定処理と、
強調処理を開始させる強調開始処理と、
前記範囲指定処理で指定された前記強調文字列の文字サイズが、前記印字可能領域設定処理により設定された前記印字可能領域の前記高さに対して配置可能な最大文字サイズか否かを判別するサイズ判定処理と、
前記強調開始処理の実行により前記強調文字列が前記サイズ判定処理において前記最大文字サイズではないと判断した場合には、前記範囲指定処理により指定された前記強調文字列の文字サイズを１段階大きくし、前記サイズ判定処理において前記最大文字サイズであると判断した場合には、前記範囲指定処理により指定された前記強調文字列以外の文字列の文字サイズを１段階小さくする文字サイズ変更処理と、
をコンピュータに実行させる、
ことを特徴とする印字装置の印字制御プログラム。
【請求項１４】
前記強調開始処理は、前記強調処理を繰り返し行うことが可能な処理をコンピュータに実行させることを特徴とする請求項１３に記載の印字装置の印字制御プログラム。
【請求項１５】
前記文字サイズ変更処理は、前記範囲指定処理により指定された前記強調文字列にボールド処理をコンピュータに実行させることを特徴とする請求項１３又は請求項１４に記載の印字装置の印字制御プログラム。
【請求項１６】
前記文字サイズ変更処理は、前記範囲指定処理により指定された前記強調文字列に文字飾りを施す処理をコンピュータに実行させることを特徴とする請求項１３乃至請求項１５の何れかに記載の印字装置の印字制御プログラム。
【請求項１７】
前記文字サイズ変更処理は、前記範囲指定処理により指定された前記強調文字列以外の文字列の文字サイズが、予め設定された最小サイズ限度に達した場合に前記強調処理を終了する処理をコンピュータに実行させることを特徴とする請求項１３乃至請求項１６の何れかに記載の印字装置の印字制御プログラム。
【請求項１８】
前記印字テープは、ラベルを印刷するためのテープ状の印字部材であることを特徴とする請求項１３乃至請求項１７の何れかに記載の印字装置の印字制御プログラム。
【発明の詳細な説明】
【技術分野】
【０００１】
本発明は、視認性を高めたラベルを作成する印字装置と、該印字装置において視認性を高めたラベルを作成させる印字方法と、この印字装置に視認性を高めたラベルを作成させる印字方法を実現させるための印字制御プログラムと、に関する。
【背景技術】
【０００２】
テープ部材を収納したテープカセットを装置内にセットし、そのテープ部材の印字テープに対して、キーボード等の入力手段から入力された或いは他の機器から出力された文字等を任意に印字することで、固有のラベルを作成できる装置として印字装置がある。
【０００３】
このような印字装置で作成されるラベルには、ボールド処理、縁取り処理、文字飾り処理等により文字を強調させて作成されたものがある。下記に示す特許文献１には、文字や記号の品質を維持しつつ強調された文字の為のドットパターンデータを作成する印字装置が開示されている。
【先行技術文献】
【特許文献】
【０００４】
【特許文献１】特開平０７−５２４６０号公報
【発明の概要】
【発明が解決しようとする課題】
【０００５】
しかしながら、上述の特許文献１の印字装置は、文字や記号の品質を維持しつつ強調された文字のドットパターンデータを作成するものであり、その強調手段は、文字サイズを可変させるものではなかった。
【０００６】
本発明は、上述したような従来技術の問題点に鑑みてなされたものであり、強調処理により視認性を高めたラベルを作成する印字装置と、該印字装置において強調処理により視認性を高めたラベルを作成する印字方法と、強調処理により視認性を高めたラベルを作成する印字方法を印字装置に実現させるための印字制御プログラムとを提供することを目的とする。
【課題を解決するための手段】
【０００７】
前記目的を果たすため、本発明の印字装置の一態様は、印字テープに印字をおこなう印字装置であって、前記印字テープのテープ幅に対応した高さを有する印字可能領域を設定する印字可能領域設定手段と、文字列を表示する表示手段と、前記表示手段に表示された前記文字列から強調文字列を指定する範囲指定手段と、強調処理を開始させる強調開始手段と、前記範囲指定手段で指定された前記強調文字列の文字サイズが、前記印字可能領域設定手段により設定された前記印字可能領域の前記高さに対して配置可能な最大文字サイズか否かを判別するサイズ判定手段と、前記強調開始手段の実行により前記強調文字列が前記サイズ判定手段において前記最大文字サイズではないと判断した場合には、前記範囲指定手段により指定された前記強調文字列の文字サイズを１段階大きくし、前記サイズ判定手段において前記最大文字サイズであると判断した場合には、前記範囲指定手段により指定された前記強調文字列以外の文字列の文字サイズを１段階小さくする文字サイズ変更手段と、を備える、
ことを特徴とする。
【０００８】
前記目的を果たすため、本発明の印字方法の一態様は、印字テープに印字をおこなう印字装置の印字方法であって、前記印字テープのテープ幅に対応した高さを有する印字可能領域を設定する印字可能領域設定処理と、文字列を表示する表示処理と、前記表示処理で表示された前記文字列から強調文字列を指定する範囲指定処理と、強調処理を開始させる強調開始処理と、前記範囲指定処理で指定された前記強調文字列の文字サイズが、前記印字可能領域設定処理により設定された前記印字可能領域の前記高さに対して配置可能な最大文字サイズか否かを判別するサイズ判定処理と、前記強調開始処理の実行により前記強調文字列が前記サイズ判定処理において前記最大文字サイズではないと判断した場合には、前記範囲指定処理により指定された前記強調文字列の文字サイズを１段階大きくし、前記サイズ判定処理において前記最大文字サイズであると判断した場合には、前記範囲指定処理により指定された前記強調文字列以外の文字列の文字サイズを１段階小さくする文字サイズ変更処理と、を実行する、ことを特徴とする。
【０００９】
前記目的を果たすため、本発明の印字制御プログラムの一態様は、印字テープに印字をおこなう印字装置の印字方法を実現するための印字制御プログラムであって、前記印字テープのテープ幅に対応した高さを有する印字可能領域を設定する印字可能領域設定処理と、文字列を表示する表示処理と、前記表示処理で表示された前記文字列から強調文字列を指定する範囲指定処理と、強調処理を開始させる強調開始処理と、前記範囲指定処理で指定された前記強調文字列の文字サイズが、前記印字可能領域設定処理により設定された前記印字可能領域の前記高さに対して配置可能な最大文字サイズか否かを判別するサイズ判定処理と、前記強調開始処理の実行により前記強調文字列が前記サイズ判定処理において前記最大文字サイズではないと判断した場合には、前記範囲指定処理により指定された前記強調文字列の文字サイズを１段階大きくし、前記サイズ判定処理において前記最大文字サイズであると判断した場合には、前記範囲指定処理により指定された前記強調文字列以外の文字列の文字サイズを１段階小さくする文字サイズ変更処理と、をコンピュータに実行させる、ことを特徴とする。
【発明の効果】
【００１０】
本発明によれば、強調処理により視認性を高めたラベルを作成する印字装置と、該印字装置において強調処理により視認性を高めたラベルを作成する印字方法と、強調処理により視認性を高めたラベルを作成する印字方法を印字装置に実現させるための印字制御プログラムと、を提供することができる。
【図面の簡単な説明】
【００１１】
【図１】本発明の実施形態に係る印字装置の平面図である。
【図２】本発明の実施形態に係る印字装置の内部拡大図及びテープカセットの斜視図である。
【図３】本発明の実施形態に係る印字装置の機能ブロック図である。
【図４】本発明の実施形態に係る印字装置のＲＯＭに記憶される印字文字サイズのデータに関する説明図である。
【図５】本発明の実施形態における印字装置により文字列に強調処理を設定する流れを示すフローチャートである。
【図６】本発明の実施形態に係る印字装置による強調処理の設定に関する説明図である。
【図７】本発明の実施形態に係る印字装置による強調処理の設定に関する説明図である。
【図８】本発明の実施形態に係る印字装置による強調処理された文字列に関する説明図である。
【図９】本発明の実施形態に係る印字装置による強調処理された文字列に関する説明図である。
【発明を実施するための形態】
【００１２】
以下、本発明の実施形態を図に基づいて詳説する。図１は、本発明の実施形態に係る印字装置1の平面図であり、図２は、この印字装置1に使用するテープカセット21の外観及び印字装置1の内部構造の一部を示す斜視図である。印字装置1は、表面に印字面を備え裏面が粘着面とされた印字テープと、粘着面に貼付される剥離テープと、が積層されて形成されたテープ部材31に文字等を印字する装置である。
【００１３】
印字装置1は、図１に示すように、筐体2の上面に液晶表示装置から構成されてソフトウェアキーボード機能により仮想のキーボードを表示するタッチパネル表示部3を備える。また、タッチパネル表示部3には、文字入力装置として液晶表示装置の表示画面の上面に透明な加圧スイッチであるタッチパネル入力部4が重ねて配設されている。
【００１４】
そして、タッチパネル表示部3の表示画面には、アルファベット文字キー、数字キー、記号キー等の文字・記号入力キー（以下、これらを総じて文字キーと呼称）や、漢字への変換キー、無変換キー及び実行キー等々の制御キーを備える仮想のキーボードを表示するキーボード領域3a及びそのキーボード領域3aから入力された文字を表示する文字編集領域3bが設けられる。キーボード領域3aは、タッチパネル入力部4の各キーを画像として表示するとともに、タッチパネル入力部4として表示画面上に表示される各キーの位置を押圧することにより、各キーの座標位置のデータを入力するようになっており、これらタッチパネル表示部3とタッチパネル入力部4とからソフトウェアキーボードを構成する。
【００１５】
そして、テープカセット21を装填させるために装置の背面に用意される開閉蓋の内側には、図２に示すように、テープ部材31及びインクリボン35を収容したテープカセット21を装填するためのカセット装填部8が形成されている。カセット装填部8内には、テープ印字機構45と、テープカセット21を所定の位置に支持するためのカセット受部15と、が形成されている。
【００１６】
このテープ印字機構45は、縦方向に配列された印字素子と、印字ヘッドとされるサーマルヘッド11と、サーマルヘッド11との間でテープ部材31及びインクリボン35を挟み込んでこれを搬送するプラテンローラ12と、印字に使用したインクリボン35をテープカセット21内に巻取るリボン巻取軸と、を備える。
【００１７】
また、カセット装填部8の一端部に筐体2の外に通じるテープ繰出部7が形成されており、このテープ繰出部7には、テープ部材31の印字テープ及び剥離テープを幅方向に切断するフルカット手段としてのフルカット機構17と、テープ部材31の印字テープのみを切断するハーフカット手段としてのハーフカット機構18が組み込まれている。
【００１８】
さらに、テープカセット21は、カセットケース22を備え、このカセットケース22の内部には、テープ部材31が巻装されたテープコア23、未使用のインクリボン35が巻装されたリボン供給コア24、使用済みのインクリボン35を巻取るリボン巻取コア25が夫々収納されている。また、テープカセット21のカセットケース22には、カセット装填部8内にテープカセット21を装填した場合にサーマルヘッド11が位置するヘッド配置部27が形成されている。
【００１９】
また、カセットケース22の隅部には、カセット装填部8のカセット受部15と係合し、このカセット受部15によって支持される被係合部29が形成されている。そして、このカセットケース22の被係合部29には、図示しないがテープカセット21の種類に応じた所定の凹凸が形成されており、カセット装填部8のカセット受部15には、テープカセット21が装填された場合にカセットケース22の被係合部29に形成された凹凸を判別するテープ幅検出スイッチ16が形成されている。
【００２０】
そして、印字装置1は、カセットケース22がカセット装填部8に装填されると、カセットケース22の被係合部29とカセット装填部8のカセット受部15に形成されたテープ幅検出スイッチ16の幾つかと或いは全部とが係合し、係合したテープ幅検出スイッチ16が押下されて、このオン状態となったテープ幅検出スイッチ16の組み合わせによって印字テープのテープ幅等の種類を判別できるようになっている。
【００２１】
つまり、この印字装置1は、テープカセット21の種類が内蔵するテープ部材31の幅等によって異なるため、このテープカセット21の種類を判別することによって、印字対象物である印字テープの幅等を識別することができ、制御部40がテープ幅に適合した印字データを作成することができるようになっている。
【００２２】
この印字装置1は、印字の指示がされると、テープ部材31及びインクリボン35がテープカセット21から繰り出され、プラテンローラ12とサーマルヘッド11との間にこれらのテープ部材31及びインクリボン35が重ね合わされた状態で挟み込まれて搬送される。
【００２３】
そして、サーマルヘッド11が印字データに基づいて発熱駆動され、インクリボン35のインクがテープ部材31の印字テープに熱転写されて印字テープに印字が行なわれ、印字が終了すると設定によりフルカット機構17又はハーフカット機構18が作動してテープ部材31が幅方向に切断され、１枚のテープ状のラベルが作成される。
【００２４】
次に、印字装置1の回路構成について述べる。この印字装置1は、図３に示すように、制御部40を備える。そして、この制御部40には、記憶手段としてのＲＯＭ41及びＲＡＭ42が接続されている。また、制御部40には、使用者のキー操作を受けて文字データやフォントサイズ等を入力する入力手段としてタッチパネル入力部4が接続されている。そして、制御部40には、入力された情報などの種々の情報を表示する表示手段であるタッチパネル表示部3を駆動させるタッチパネル表示部駆動回路63が接続されている。
【００２５】
さらに、制御部40には、サーマルヘッド11を駆動するヘッド駆動回路51と、ステップモータ46を駆動するステップモータ駆動回路52と、カッターモータ48を駆動するカッターモータ駆動回路53と、が接続されている。
【００２６】
そして、制御部40には、カートリッジの種別を判別するカートリッジ判別手段であるテープ幅検出スイッチ16が接続されている。
【００２７】
制御部40はＣＰＵであって、タッチパネル入力部4からのキー入力信号、又は、自動でＲＯＭ41に予め記憶されているシステムプログラム、メモリーカードに記憶された制御プログラム、外部機器から読み込まれた制御プログラムなどを起動させ、ＲＡＭ42をワークメモリとして回路各部の動作を制御する。
【００２８】
ＲＯＭ41には、設定された文字列データ等を表示し印字するためのプログラムや印刷フォント、塗り潰しに使用される斜線や網目、ドット模様等が記憶され、制御部40で読み取り可能なプログラムが記憶された記録媒体としても機能する。
【００２９】
そして、ＲＯＭ41は、表示用のフォントのパターンデータを記憶する表示用ＣＧ（キャラクタージェネレータ）41aを有する。また、ＲＯＭ41は、印字用のパターンデータを記憶する印字用ＣＧ（キャラクタージェネレータ）41bを有する。
【００３０】
ＲＡＭ42には、入力された印刷情報が展開された印刷パターンデータが記憶される印字データメモリ領域やタッチパネル表示部3に表示させるパターンデータが記憶される表示データメモリ領域などが確保されており、印字処理などに必要なデータを一時的に記憶するレジスタやカウンタなども設けられている。
【００３１】
ヘッド駆動回路51は、印刷情報や書式設定の情報に従って印字手段であるサーマルヘッド11を制御し、テープ部材31に印刷を実行させる。ステップモータ駆動回路52は、搬送手段を駆動させる回路であって、プラテンローラ12やリボン巻取軸を回転させるステッピングモータ等のステップモータ46を制御し、所定の速度で長手方向にテープ部材31を搬送する。カッターモータ駆動回路53は、フルカット手段及びハーフカット手段等の切断手段を制御する駆動回路であり、フルカット機構17で使用されるカッターモータ48としてのステッピングモータやハーフカット機構18で使用されるカッターモータ48としてのＤＣモータ等を制御する。
【００３２】
そして、印字装置1は、制御部40がヘッド駆動回路51、ステップモータ駆動回路52及びカッターモータ駆動回路53等を制御することにより、文字列をテープ部材31に印字し、その印字部分を切断することでラベルを作成することができる。
【００３３】
また、本実施形態の印字装置1は、強調ラベル作成モードにおいて、入力文字列の中から強調する文字列を指定して、その強調文字列と非強調文字列との文字サイズに差異を付けることにより、視認性を高めたラベルを作成する機能を有している。
【００３４】
制御部40は、テープ幅判定手段として、テープ幅検出スイッチ16の組み合わせによって印字テープのテープ幅の種類を判定する。
【００３５】
さらに、制御部40は、装填された印字テープのテープ幅の印字可能領域を設定する印字可能領域設定手段として機能する。
【００３６】
また、制御部40は、設定された印字可能領域からデフォルトの入力文字サイズを設定する入力文字サイズ設定手段としても機能する。
【００３７】
そして、制御部40は、タッチパネル表示部3を制御して、入力手段により入力された入力文字の文字列の中から強調する文字列を指定させる範囲指定手段としても機能する。
【００３８】
さらに、制御部40は、タッチパネル表示部3を制御して、強調処理の開始を指示する強調ボタン等をメニューを表示させる強調開始手段としても機能する。
【００３９】
そして、制御部40は、強調ボタンの押下により、入力手段により入力された入力文字の文字列の中から範囲指定手段で指定された文字列の印字文字サイズが、後述するＲＯＭ41の最大文字サイズ記憶領域41dに記憶されるテープ幅に応じた最大印字文字サイズか否かを判別するサイズ判定手段としても機能する。
【００４０】
さらに、制御部40は、強調ボタンの押下により、文字サイズ変更手段として、強調文字列がサイズ判定手段において最大印字文字サイズではないと判断した場合には範囲指定手段により指定された文字列の印字文字サイズを１段階大きくする文字サイズ変更処理を実行する。
【００４１】
また、制御部40は、文字サイズ変更手段として、強調文字列がサイズ判定手段において最大印字文字サイズであると判断した場合には、範囲指定手段により指定された文字列以外の印字文字サイズを１段階小さくする文字サイズ変更処理を実行する。
【００４２】
なお、制御部40は、強調開始手段として、指定された文字列をさらに強調可能なように、強調ボタン70等のメニュー表示を繰り返してタッチパネル表示部3に表示し、強調文字と非強調文字との差異が明確になるまで強調処理をさらに繰り返すことを可能としている。
【００４３】
なお、文字サイズ変更手段である制御部40は、範囲指定手段により指定された文字列を太字化させる等のボールド処理を施すことによる強調処理を加えるようにしても構わない。
【００４４】
さらに、文字サイズ変更手段である制御部40は、範囲指定手段により指定された文字列に、背景処理や影を設ける等の文字飾りを施すことによる強調処理を加えるようにしても構わない。
【００４５】
また、本発明においてＲＯＭ41は、装置として印字可能な最小印字文字サイズから最大印字文字サイズまでの設定可能な文字サイズを示すｐｔ（ポイント）値と文字高さを示すｍｍ値との情報が格納されている文字サイズ記憶手段とされる文字サイズ記憶領域41cを有する。
【００４６】
文字サイズ記憶領域41cには、図４（ａ）に示すように最小印字文字サイズが６ｐｔ、最小印字文字サイズの文字高さが２ｍｍであり、最大印字文字サイズが５９ｐｔ、最大印字文字サイズの文字高さが２１ｍｍ等の情報が格納されている。
【００４７】
さらに、ＲＯＭ41は、装置として使用可能なテープ幅（ｍｍ）に応じて印字可能な最大印字可能領域（ｍｍ）、最大印字文字サイズ（ｐｔ）及びデフォルトの印字文字サイズ（ｐｔ）が格納されている最大文字サイズ記憶手段とされる最大文字サイズ記憶領域41dを有する。
【００４８】
最大文字サイズ記憶領域41dには、図４（ｂ）に示すようにテープ幅が２４ｍｍであれば最大印字可能領域が２２ｍｍ、最大印字文字サイズ（ｐｔ）が５９ｐｔ及びデフォルトの印字文字サイズ（ｐｔ）が５１ｐｔであり、テープ幅が６ｍｍであれば最大印字可能領域が４ｍｍ、最大印字文字サイズ（ｐｔ）が１２ｐｔ及びデフォルトの印字文字サイズ（ｐｔ）が９ｐｔである等の情報が格納されている。
【００４９】
なお、最大文字サイズ記憶領域41dに格納された情報において、デフォルトの印字文字サイズ（ｐｔ）は、図４（ｂ）に示したように、例えば、最大印字文字サイズ（ｐｔ）が５９ｐｔであるのに対して、デフォルトの印字文字サイズ（ｐｔ）を５１ｐｔと設定しており、最大印字文字サイズ（ｐｔ）に対して１段階小さくしたものを設定しているが、これに限らず、最大印字文字サイズ（ｐｔ）に対して２段階、３段階等と小さくしたものを設定していても構わない。
【００５０】
ここで、本発明の実施形態における印字装置1でラベルを作成する流れについて図を用いて詳細に説明する。図５は、印字装置1により強調処理を施したラベルを作成する流れに関するフローチャートである。また、図６及び図７は入力文字列の中から強調文字列を範囲指定したときの画面表示に関する説明図である。そして、図８及び図９は、強調処理を施した文字列に関する説明図である。
【００５１】
先ず、ユーザにより印字装置1を強調ラベル作成モードに設定されると、制御部40は、先ず装填されている印字テープのテープ幅（ｍｍ）をテープ幅検出スイッチ16により判定するテープ幅判定処理（ステップＳ１０）を実行する。
【００５２】
そして、制御部40は、判定したテープ幅（ｍｍ）に基づいてＲＯＭ41の最大文字サイズ記憶領域41dに記憶されるテープ幅毎の印字可能な最大印字可能領域（ｍｍ）を設定する印字可能領域設定処理（ステップＳ１５）を実行する。なお、印字装置1は、最大印字可能領域（ｍｍ）をタッチパネル表示部3に設定可能なメニューを表示させてユーザに設定させるようにしても構わない。
【００５３】
制御部40は、最大印字可能領域（ｍｍ）を設定すると、次にＲＯＭ41の最大文字サイズ記憶領域41dに記憶されるテープ幅毎の印字可能な最大印字文字サイズ（ｐｔ）を設定する最大印字文字サイズ設定処理（ステップＳ２０）を実行する。なお、印字装置1は、最大印字文字サイズ（ｐｔ）をタッチパネル表示部3に設定可能なメニューを表示させてユーザに設定させるようにしても構わない。
【００５４】
次に、制御部40は、ユーザに強調ラベル用の文字入力をさせるために例えば「文字入力してください。」等のメッセージをタッチパネル表示部3に表示させ、入力された文字列をタッチパネル表示部3に表示させる文字入力処理（ステップＳ２５）を実行する。
【００５５】
図６（ａ）には、ユーザにより文字入力されタッチパネル表示部3に表示された「税務署員を装った「振り込め詐欺」に注意してください」の強調ラベルの文字列の一例を示す。また、図７（ａ）には、ユーザにより文字入力されタッチパネル表示部3に表示された「ここでは安全帯を使用せよ！」の強調ラベルの文字列の一例を示す。
【００５６】
制御部40は、文字入力されると、その入力された文字のサイズをＲＯＭ41の最大文字サイズ記憶領域41dに記憶されるテープ幅毎に設定されるデフォルトの印字文字サイズ（ｐｔ）とするデフォルト文字サイズ設定処理（ステップＳ３０）を実行する。例えば、制御部40は、装着された印字テープのテープ幅（ｍｍ）が９ｍｍであれば、図６（ａ）に示すようにデフォルトの印字文字サイズ（ｐｔ）を１７ｐｔに設定することとなる。
【００５７】
なお、印字文字サイズ（ｐｔ）は、デフォルトの印字文字サイズ以外に任意に設定することができ、例えば、図７（ａ）に示した「ここでは安全帯を使用せよ！」の強調ラベルの文字列において、「を使用せよ！」の部分をデフォルトの印字文字サイズ（ｐｔ）である１７ｐｔから１４ｐｔと設定することができる。
【００５８】
次に、制御部40は、ユーザに強調範囲を指定させるために例えば「文中で強調処理を実施する箇所を指定してください。」等のメッセージをタッチパネル表示部3に表示させる。
【００５９】
そして、制御部40は、ユーザによりタッチパネル入力部4上でタッチペンや指等で強調範囲を指定されると、図６（ｂ）に示すように指定された強調処理を実施する箇所の文字列である「税務署員」、「振り込め詐欺」、図７（ｂ）に示す「安全帯」をタッチパネル表示部3で背景黒表示や点滅表示等により識別させる強調範囲指定処理（ステップＳ３５）を実行する。
【００６０】
また、制御部40は、強調範囲の識別表示をするとともに、図６（ｂ）及び図７（ｂ）に示したように強調処理の開始を指示する強調ボタン70をタッチパネル表示部3の画面左上部に表示させるとともに、強調処理の終了を指示する終了ボタン71を強調ボタン70の右隣に表示させる。
【００６１】
ユーザにより強調ボタン70を押下されると制御部40は、文字サイズ変更手段として強調処理（ステップＳ４０）を開始する。
【００６２】
先ず、制御部40は、サイズ判定手段として範囲指定手段で指定された文字列の印字文字サイズ（ｐｔ）が、ＲＯＭ41の最大文字サイズ記憶領域41dに記憶されるテープ幅（ｍｍ）に応じた最大印字文字サイズ（ｐｔ）か否かを判断する強調サイズ判定処理（ステップＳ４５）を実行する。
【００６３】
範囲指定手段により指定された文字列の印字文字サイズ（ｐｔ）が、最大印字文字サイズ（ｐｔ）でなければ、強調文字サイズアップ処理（ステップＳ５０）に進み、強調処理を実施する箇所の文字列の印字文字サイズ（ｐｔ）が、最大印字文字サイズ（ｐｔ）であれば、非強調文字サイズダウン判定処理（ステップＳ５５）に進む。
【００６４】
制御部40は、強調文字サイズアップ処理（ステップＳ５０）として、範囲指定手段で指定された文字列の印字文字サイズ（ｐｔ）を、ＲＯＭ41の文字サイズ記憶領域41cに記憶されている設定可能な印字文字サイズ（ｐｔ）において一段階大きくさせる。
【００６５】
具体的には、図８（ａ）に示すように「税務署員を装った「振り込め詐欺」に注意してください」と強調処理のされていない全文字列が、強調文字サイズアップ処理（ステップＳ５０）により範囲指定手段で指定された文字列である「税務署員」及び「振り込め詐欺」の文字列の印字文字サイズ（ｐｔ）をデフォルトサイズである１７ｐｔと比較して一段階大きい２０ｐｔにサイズ変更をして図８（ｂ）に示すような全文字列とされる。
【００６６】
また、図９（ａ）に示すように「ここでは安全帯を使用せよ！」と強調処理のされていない全文字列が、強調文字サイズアップ処理（ステップＳ５０）により範囲指定手段で指定された文字列である「安全帯」の文字列の印字文字サイズ（ｐｔ）をデフォルトサイズである１７ｐｔと比較して一段階大きい２０ｐｔにサイズ変更をして図９（ｂ）に示すような全文字列とされる。
【００６７】
なお、文字サイズ変更手段である制御部40は、範囲指定手段により指定された文字列を一段階大きくさせるとともに、太字とするボールド処理を施したり、又は／及び背景処理や影を設けるなどの立体化させる等の文字飾りを施すことにより強調処理を行うようにしても構わない。そして、強調文字サイズアップ処理（ステップＳ５０）を完了すると強調処理終了判定（ステップＳ６５）に進む。
【００６８】
また、制御部40は、範囲指定手段により指定された文字列の印字文字サイズ（ｐｔ）がＲＯＭ41の最大文字サイズ記憶領域41dに記憶されるテープ幅（ｍｍ）に応じた最大印字文字サイズ（ｐｔ）であれば、範囲指定手段により指定された文字列以外の文字列の印字文字サイズ（ｐｔ）が、文字サイズ記憶領域41cに記憶されている設定可能な印字文字サイズ（ｐｔ）における最小印字文字サイズ（ｐｔ）か否かを判定する非強調文字サイズダウン判定処理（ステップＳ５５）を実行する。
【００６９】
非強調文字サイズダウン判定処理（ステップＳ５５）において、範囲指定手段により指定された文字列以外の文字列の印字文字サイズ（ｐｔ）が最小印字文字サイズ（ｐｔ）でなければ、非強調文字サイズダウン処理（ステップＳ６０）に進み、範囲指定手段により指定された文字列以外の文字列の印字文字サイズ（ｐｔ）が最小印字文字サイズ（ｐｔ）であれば、範囲指定手段により指定された文字列以外の文字列の印字文字サイズ（ｐｔ）のサイズ変更が不可能と判定して、サイズ変更をせずに強調処理終了判定（ステップＳ６５）に進む。
【００７０】
制御部40は、非強調文字サイズダウン処理（ステップＳ６０）として、範囲指定手段により指定された文字列以外の文字列の印字文字サイズ（ｐｔ）を文字サイズ記憶領域41cに記憶されている設定可能な印字文字サイズ（ｐｔ）において一段階小さくさせる。
【００７１】
具体的には、図８（ｂ）に示すように「税務署員を装った「振り込め詐欺」に注意してください」と強調処理された全文字列のように、既に範囲指定手段で指定された文字列である「税務署員」及び「振り込め詐欺」の文字列の印字文字サイズ（ｐｔ）が最大印字文字サイズ（ｐｔ）である２０ｐｔとされていれば、非強調文字サイズダウン処理（ステップＳ６０）により、範囲指定手段により指定された文字列以外の文字列の印字文字サイズ（ｐｔ）を文字サイズ記憶領域41cに記憶されている設定可能な印字文字サイズ（ｐｔ）において一段階小さくさせることとなる。即ち、範囲指定手段により指定された文字列以外のデフォルトサイズである１７ｐｔの文字列を夫々１４ｐｔの文字列へと、１段階だけ印字文字サイズ（ｐｔ）を小さくして図８（ｃ）に示すような強調処理された全文字列とされる。
【００７２】
また、図９（ｂ）に示すように、既に範囲指定手段で指定された文字列の印字文字サイズ（ｐｔ）が最大印字文字サイズ（ｐｔ）である２０ｐｔとされていれば、非強調文字サイズダウン処理（ステップＳ６０）により、範囲指定手段により指定された文字列以外の文字列の印字文字サイズ（ｐｔ）を文字サイズ記憶領域41cに記憶されている設定可能な印字文字サイズ（ｐｔ）において一段階小さくさせることとなる。
【００７３】
即ち、範囲指定手段により指定された文字列以外の１７ｐｔの文字列は１４ｐｔの文字列とされる。また、１４ｐｔの文字列は、１２ｐｔの文字列とされて、１段階だけ印字文字サイズ（ｐｔ）を小さくして図９（ｃ）に示すような強調処理された全文字列とされる。そして、非強調文字サイズダウン処理（ステップＳ６０）を完了すると強調処理終了判定（ステップＳ６５）に進む。
【００７４】
そして制御部40は、強調処理終了判定（ステップＳ６５）として、サイズ変更を反映した全文字列をタッチパネル表示部3に表示させるとともに、図６（ｂ）及び図７（ｂ）に示したように強調処理をさらに行うことを指示する強調ボタン70をタッチパネル表示部3の画面左上部に表示させ、強調処理の終了を指示する終了ボタン71を強調ボタン70の右隣に表示させる。
【００７５】
ユーザにより終了ボタン71を押下されると、強調処理を終了し、印字を開始してラベルを完成させる。ただし、印字文字サイズ（ｐｔ）を変更する強調ボタン70を押下されると、強調処理（ステップＳ４０）に戻って、以下同様に範囲指定手段により指定された文字列、又は範囲指定手段により指定された文字列以外の文字列について、サイズ変更を繰り返す。
【００７６】
具体的には、図８（ｃ）に示すように、既に範囲指定手段で指定された文字列の印字文字サイズ（ｐｔ）が最大印字文字サイズ（ｐｔ）である２０ｐｔとされており、非強調文字サイズダウン処理（ステップＳ６０）により、範囲指定手段により指定された文字列以外の文字列の印字文字サイズ（ｐｔ）が１４ｐｔの文字列とされて強調処理された文字列がある。これに、さらに強調処理を実施することにより、図８（ｄ）、図８（ｅ）、図８（ｆ）に示すように範囲指定手段により指定された文字列以外の文字列の印字文字サイズ（ｐｔ）を１４ｐｔ、１２ｐｔ、９ｐｔ、６ｐｔとその都度小さくしていき、最小印字文字サイズである６ｐｔとなるまでサイズ変更を行ったラベルを作成することができる。
【００７７】
なお、変形例として、ボールド処理において、各文字サイズ毎に文字を太くさせる限界値を設定記憶しておき、強調処理を文字体の太さを変えていくボールド処理のみにより実施し、強調処理を繰り返すことにより、強調範囲として指定された文字の太さを太くしていき、各文字サイズ毎に設定されている太さの限界値に達したら、強調範囲として指定された文字の太さを変化させず、非強調文字の太さを細くしていくようにしても視認性を高めたラベルを作成することができる。
【００７８】
また、変形例として、ラベル用の文字列の文字色がモノトーンの場合、強調処理において、強調範囲として指定された文字色を濃い目のトーンに変化させていき、濃い目のトーンの限界値に達した場合に、強調範囲として指定された文字のトーンを変化させず、非強調文字の文字色を薄めのトーンに変化させていく、又は、非強調文字の文字色を淡色系の色に変えるといった色相変化をするようにしても視認性を高めたラベルを作成することができる。
【００７９】
以上のように、本発明の実施形態によれば、強調処理により視認性を高めたラベルを作成する印字装置と、該印字装置において強調処理により視認性を高めたラベルを作成する印字方法と、強調処理により視認性を高めたラベルを作成する印字方法を印字装置に実現させるための印字制御プログラムと、を提供することができる。
【００８０】
また、本発明の実施形態によれば、強調開始手段によって強調処理をさらに行うか否かをユーザに判断させることができ、ユーザの好みに応じた強調処理によるラベルを作成することができる。
【００８１】
さらに、本発明の実施形態によれば、指定された文字列をボールド処理を施すことにより、個性的な強調処理によるラベルを作成することができる。
【００８２】
また、本発明の実施形態によれば、指定された文字列に文字飾りを施すことにより、様々なバリエーションの強調処理によるラベルを作成することができる。
【００８３】
さらに、本発明の実施形態におけるフローチャートに示した処理は、コンピュータに実現させることのできる印字制御プログラムとして、例えば磁気ディスク、光ディスク、半導体メモリ等の記憶媒体に書き込んだ状態で各種装置に適用する、或いは、通信媒体により伝送して各種装置に適用することも可能である。このように所望の記憶媒体に本実施形態で述べた各処理を記憶させ、他のコンピュータ等で印字制御プログラムを実行させることにより、本実施形態の装置を用いた場合と同様の作用効果が得られる。なお、コンピュータは、本実施形態で述べた装置に内蔵されたコンピュータに限定されるわけではなく、記憶媒体に記憶された印字制御プログラムを読み取り可能であって、読み取った印字制御プログラムに従って制御動作を行うＣＰＵ等の演算装置を備えているあらゆるコンピュータを含む。
【００８４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００８５】
以下に、本願出願の最初の特許請求の範囲に記載された発明を付記する。
［１］
印字テープに印字してラベルを作成する印字装置であって、
設定可能な文字サイズの情報が格納されている文字サイズ記憶手段と、
前記印字テープのテープ幅で印字可能な最大文字サイズが格納されている最大文字サイズ記憶手段と、
前記印字テープのテープ幅を判定するテープ幅判定手段と、
前記テープ幅内の印字可能領域を設定する印字可能領域設定手段と、
入力文字を入力する入力手段と、
入力文字サイズを設定する入力文字サイズ設定手段と、
前記入力文字を表示する表示手段と、
強調文字列を指定する範囲指定手段と、
強調処理を開始させる強調開始手段と、
前記範囲指定手段で指定された文字列の文字サイズが前記最大文字サイズか否かを判別するサイズ判定手段と、
を備え、
前記強調開始手段の実行により前記強調文字列が前記サイズ判定手段において最大文字サイズではないと判断した場合には前記範囲指定手段により指定された文字列の文字サイズを１段階大きくし、前記サイズ判定手段において最大文字サイズであると判断した場合には、前記範囲指定手段により指定された文字列以外の文字サイズを１段階小さくする文字サイズ変更手段を備えることを特徴とする印字装置。
［２］
前記強調開始手段は、強調処理を繰り返し行うことを可能としていることを特徴とする［１］に記載の印字装置。
［３］
前記文字サイズ変更手段は、前記範囲指定手段により指定された文字列にボールド処理を施すことを特徴とする［１］又は［２］に記載の印字装置。
［４］
前記文字サイズ変更手段は、前記範囲指定手段により指定された文字列に文字飾りを施すことを特徴とする［１］乃至［３］の何れかに記載の印字装置。
［５］
印字テープに印字してラベルを作成する印字装置の印字方法であって、
前記印字テープのテープ幅を判定するテープ幅判定処理と、
前記テープ幅内の印字可能領域を設定する印字可能領域設定処理と、
入力文字を入力する入力処理と、
入力文字サイズを設定する入力文字サイズ設定処理と、
前記入力文字を表示する表示処理と、
強調文字列を指定する範囲指定処理と、
強調処理を開始させる強調開始処理と、
前記範囲指定処理で指定された文字列の文字サイズが前記最大文字サイズか否かを判別するサイズ判定処理と、
を実行し、
前記強調開始処理の実行により前記強調文字列が前記サイズ判定処理において最大文字サイズではないと判断した場合には前記範囲指定処理により指定された文字列の文字サイズを１段階大きくし、前記サイズ判定処理において最大文字サイズであると判断した場合には、前記範囲指定処理により指定された文字列以外の文字サイズを１段階小さくする文字サイズ変更処理を実行することを特徴とする印字方法。
［６］
前記強調開始処理は、強調処理を繰り返し行うことが可能な処理を実行することを特徴とする［５］に記載の印字方法。
［７］
前記文字サイズ変更処理は、前記範囲指定処理により指定された文字列にボールド処理を実行することを特徴とする［５］又は［６］に記載の印字方法。
［８］
前記文字サイズ変更処理は、前記範囲指定処理により指定された文字列に文字飾りを施す処理を実行することを特徴とする［５］乃至［７］の何れかに記載の印字方法。
［９］
印字テープに印字してラベルを作成する印字装置の印字方法を実現するための印字制御プログラムであって、
前記印字テープのテープ幅を判定するテープ幅判定処理と、
前記テープ幅内の印字可能領域を設定する印字可能領域設定処理と、
入力文字を入力する入力処理と、
入力文字サイズを設定する入力文字サイズ設定処理と、
前記入力文字を表示する表示処理と、
強調文字列を指定する範囲指定処理と、
強調処理を開始させる強調開始処理と、
前記範囲指定処理で指定された文字列の文字サイズが前記最大文字サイズか否かを判別するサイズ判定処理と、
を実行させ、
前記強調開始処理の実行により前記強調文字列が前記サイズ判定処理において最大文字サイズではないと判断した場合には前記範囲指定処理により指定された文字列の文字サイズを１段階大きくし、前記サイズ判定処理において最大文字サイズであると判断した場合には、前記範囲指定処理により指定された文字列以外の文字サイズを１段階小さくする文字サイズ変更処理をコンピュータに実行させることを特徴とする印字装置の印字制御プログラム。
［１０］
前記強調開始処理は、強調処理を繰り返し行うことが可能な処理をコンピュータに実行させることを特徴とする［９］に記載の印字装置の印字制御プログラム。
［１１］
前記文字サイズ変更処理は、前記範囲指定処理により指定された文字列にボールド処理をコンピュータに実行させることを特徴とする［９］又は［１０］に記載の印字装置の印字制御プログラム。
［１２］
前記文字サイズ変更処理は、前記範囲指定処理により指定された文字列に文字飾りを施す処理をコンピュータに実行させることを特徴とする［９］乃至［１１］の何れかに記載の印字装置の印字制御プログラム。
【符号の説明】
【００８６】
1  印字装置                             2   筐体
3  タッチパネル表示部                   3a  キーボード領域
3b 文字編集領域
4  タッチパネル入力部                   7   テープ繰出部
8  カセット装填部                       11  サーマルヘッド
12 プラテンローラ
15 カセット受部                         16  テープ幅検出スイッチ
17 フルカット機構                       18  ハーフカット機構
21 テープカセット                       22  カセットケース
23 テープコア                           24  リボン供給コア
25 リボン巻取コア                       27  ヘッド配置部
29 被係合部                             31  テープ部材
35 インクリボン                         40  制御部
41 ＲＯＭ                               41a 表示用ＣＧ
41b 印字用ＣＧ                           41c 文字サイズ記憶領域
41d 最大文字サイズ記憶領域               42  ＲＡＭ
45 テープ印字機構
46 ステップモータ                       48  カッターモータ
51 ヘッド駆動回路                       52  ステップモータ駆動回路
53 カッターモータ駆動回路
63 タッチパネル表示部駆動回路           70  強調ボタン
71 終了ボタン
【図１】
0005548992.tif 000002
【図２】
0005548992.tif 000003
【図３】
0005548992.tif 000004
【図４】
0005548992.tif 000005
【図５】
0005548992.tif 000006
【図６】
0005548992.tif 000007
【図７】
0005548992.tif 000008
【図８】
0005548992.tif 000009
【図９】
0005548992.tif 000010